(57)【要約】【課題】吸着ノズルを吸着させる吸着面の外力による変形を防止することができる端子金具を提供する。【解決手段】第１平面部材と第２平面部材とを電気接続する端子金具２であって、吸着ノズルを吸着させる吸着面４と、吸着面の両側部から第１平面部材側に向けて折り曲げて形成される保護壁８ａ，８ｂと、保護壁の第１平面部材側の端部に配置され、第１平面部材に実装される実装部１０ａ〜１０ｄと、吸着面の一端部から第１平面部材側に向けて折り曲げられ、更に吸着面の他端部側に向けて折り曲げて形成されるバネ部１２と、吸着面の他端部側に配置され、吸着面に対して第２平面部材側に突出し、第２平面部材に接触する接点部１４を有する接触部１６とを備え、接触部は、バネ部の端部と連結されている。【選択図】図１
2016046076.tif 000002
【特許請求の範囲】
【請求項１】
第１平面部材と第２平面部材とを電気接続する端子金具であって、
吸着ノズルを吸着させる吸着面と、
前記吸着面の両側部から前記第１平面部材側に向けて折り曲げて形成される保護壁と、
前記保護壁の前記第１平面部材側の端部に配置され、前記第１平面部材に実装される実装部と、
前記吸着面の一端部から前記第１平面部材側に向けて折り曲げられ、更に前記吸着面の他端部側に向けて折り曲げて形成されるバネ部と、
前記吸着面の他端部側に配置され、前記吸着面に対して前記第２平面部材側に突出し、前記第２平面部材に接触する接点部を有する接触部と、
を備え、
前記接触部は、前記バネ部の端部と連結されていることを特徴とする端子金具。
【請求項２】
前記吸着面は、前記他端部側に切欠き部を有し、
前記接触部は、前記切欠き部に配置されることを特徴とする請求項１記載の端子金具。
【発明の詳細な説明】
【技術分野】
【０００１】
本発明は、例えばプリント基板と電子機器を収容する筐体とを電気接続する端子金具に関するものである。
【背景技術】
【０００２】
対向配置される一対のプリント回路基板間の接続端子として機能し、一方のプリント回路基板に実装される固定部と、吸着ノズルを吸着させる吸着面部と、他方のプリント回路基板に接触する接点部を有する接触部と、固定部と吸着面とを連結する第１ばね部と、吸着面と接触部とを連結する第２ばね部と、第２ばね部の両脇または接点部の両脇を覆う保護壁とを備えた端子金具が開示されている（例えば、特許文献１参照）。
【先行技術文献】
【特許文献】
【０００３】
【特許文献１】特開２００２−１５８０１号公報
【発明の概要】
【発明が解決しようとする課題】
【０００４】
ところで、特許文献１記載の端子金具においては、吸着面部が吸着ノズル等からの外力を受けた際に変形するおそれがあった。
【０００５】
本発明の目的は、吸着ノズルを吸着させる吸着面の外力による変形を防止することができる端子金具を提供することである。
【課題を解決するための手段】
【０００６】
本発明の端子金具は、第１平面部材と第２平面部材とを電気接続する端子金具であって、吸着ノズルを吸着させる吸着面と、前記吸着面の両側部から前記第１平面部材側に向けて折り曲げて形成される保護壁と、前記保護壁の前記第１平面部材側の端部に配置され、前記第１平面部材に実装される実装部と、前記吸着面の一端部から前記第１平面部材側に向けて折り曲げられ、更に前記吸着面の他端部側に向けて折り曲げて形成されるバネ部と、前記吸着面の他端部側に配置され、前記吸着面に対して前記第２平面部材側に突出し、前記第２平面部材に接触する接点部を有する接触部とを備え、前記接触部は、前記バネ部の端部と連結されていることを特徴とする。
【０００７】
また、本発明の端子金具は、前記吸着面が前記他端部側に切欠き部を有し、前記接触部が前記切欠き部に配置されることを特徴とする。
【発明の効果】
【０００８】
本発明によれば、吸着ノズルを吸着させる吸着面の外力による変形を防止することができる端子金具を提供することができる。
【図面の簡単な説明】
【０００９】
【図１】実施の形態に係る端子金具の構成を示す外観斜視図である。
【図２】実施の形態に係る端子金具の構成を示す断面図である。
【発明を実施するための形態】
【００１０】
以下、図面を参照して本発明の実施の形態に係る端子金具について説明する。なお、この実施の形態に係る端子金具は、第１平面部材としてのプリント基板と第２平面部材としてのスマートフォン等の電子機器を収容する筐体（以下、単に筐体という。）とをアース接続する。図１は、この実施の形態に係る端子金具の外観を示す斜視図である。なお、この実施の形態に係る端子金具の構成等を示す図面（図１及び図２）においてはＸＹＺ直交座標系を設定し、この直交座標系を参照しつつ各部材の位置関係等について説明する。Ｘ軸は後述する吸着面４の長手方向に平行となるように、Ｙ軸は吸着面４の短手方向に平行となるように、Ｚ軸は吸着面４に対して直交する方向に設定されている。また、端子金具２に対する第２平面部材としての筐体（図示せず）の位置が＋Ｚ方向、端子金具２に対する第１平面部材としてのプリント基板（図示せず）の位置が−Ｚ方向となるように設定されている。
【００１１】
端子金具２は、図１に示すように、端子金具２をプリント基板上へ搬送する際に使用される吸着ノズル（図示せず）を吸着させる吸着面４を備えている。端子金具２は、吸着面４のＹ方向における両側部からプリント基板側（−Ｚ方向側）に向けて折り曲げて形成される保護壁８ａ，８ｂを備えている。
【００１２】
図２は、この実施の形態に係る端子金具２のＸＺ断面を＋Ｙ方向側から視た斜視図である。端子金具２は、図１及び図２に示すように、保護壁８ａのプリント基板側（−Ｚ方向側）の端部に配置され、プリント基板に例えば半田付け等により実装される実装部１０ａ，１０ｂと、保護壁８ｂのプリント基板側（−Ｚ方向側）の端部に配置され、プリント基板に例えば半田付け等により実装される実装部１０ｃ，１０ｄとを備えている。また、端子金具２は、吸着面４の＋Ｘ方向側の端部からプリント基板側（−Ｚ方向側）に折り曲げられ、更に−Ｘ方向側に向けて折り曲げて形成されるバネ部１２を備えている。
【００１３】
端子金具２は、吸着面４の−Ｘ方向側の端部に切欠き部６を有し、切欠き部６には、接触部１６が配置されている。接触部１６は、−Ｚ方向側に開いたＵ字形状であって、筐体に接触する接点部１４を有している。接点部１４は、接触部１６の筐体側（＋Ｚ方向側）に位置し、吸着面４に対して筐体側（＋Ｚ方向側）に突出している。また、接触部１６の端部１７，１８は、プリント基板側（−Ｚ方向側）に位置し、接触部１６の−Ｘ方向側の端部１７は、＋Ｘ方向側に向けて折り曲げられている。また、接触部１６の＋Ｘ方向側の端部１８は、＋Ｘ方向側に向けて折り曲げられ、バネ部１２の端部と連結されている。したがって、プリント基板に実装された端子金具２の接触部１６に筐体が押接されると、バネ部１２の弾性により接点部１４が−Ｚ方向に移動する。
【００１４】
この実施の形態に係る端子金具によれば、吸着ノズルを吸着させる吸着面４の外力による変形を防止することができる。即ち、吸着面４が吸着ノズル等による外力を受けた場合であっても、保護壁８ａ，８ｂが吸着面４の変形を防止する。また、接触部１６が切欠き部６に配置されているため、接触部１６が−Ｚ方向以外からの外力を受けた場合であっても、吸着面４、保護壁８ａ，８ｂが接触部１６の変形を防止する。また、接触部１６の接点部１４が筐体と接触して−Ｚ方向に押し下げられた際に、接点部１４が吸着面４より−Ｚ方向へ移動するのを防止する。
【００１５】
なお、この実施の形態においては、第１平面部材としてプリント基板を、第２平面部材として電子機器を収容する筐体を例に挙げて説明したが、第１平面部材はプリント基板、電子機器を収容する筐体またはＦＰＣ（フレキシブルプリント基板）のいずれかであればよく、第２平面部材もプリント基板、電子機器を収容する筐体またはＦＰＣのいずれかであればよい。また、端子金具が第１平面部材と第２平面部材とをアース接続する機能を有するものとして説明したが、端子金具をコネクタとして機能させることにより第１平面部材と第２平面部材とを接続する等、端子金具が第１平面部材と第２平面部材とを電気接続する機能を有するものであってもよい。
【００１６】
また、この実施の形態に係る端子金具においては、矩形状に切欠き部が設けられている吸着面を有しているが、切欠き部のない矩形状の吸着面を有する構成にすることもできる。この場合には、接触部１６は、吸着面の−Ｘ方向側の端部より−Ｘ方向側に配置される。また、矩形状以外の他の形状の吸着面を有する構成にすることもできる。
【００１７】
また、この実施の形態に係る端子金具においては、接触部がＵ字形状を有し、接触部の−Ｘ方向側の端部が＋Ｘ方向側に向けて折り曲げて形成されているが、接触部の−Ｘ方向側の端部が折り曲げられていない構成であってもよい。
【００１８】
また、この実施の形態に係る端子金具においては、接触部がＵ字形状を有し、接触部の＋Ｘ方向側の端部がバネ部の端部と連結されているが、接触部の−Ｘ方向側の端部が＋Ｘ方向側に向けて折り曲げられ、バネ部の端部と連結される構成であってもよい。この場合、接触部の＋Ｘ方向側の端部（バネ部と連結しない側の端部）は、−Ｘ方向側に向けて折り曲げられた構成であっても、折り曲げられていない構成であってもよい。
【００１９】
また、この実施の形態に係る端子金具においては、Ｕ字形状の接触部を有しているが、Ｕ字形状以外の他の形状、例えばＪ字形状の接触部を有する構成にすることもできる。Ｊ字形状の接触部を有する場合には、−Ｚ方向側に開いたＪ字形状を有し、接触部の＋Ｘ方向側の端部が＋Ｘ方向側に向けて折り曲げられ、バネ部の端部と連結される構成、または接触部の−Ｘ方向側の端部が＋Ｘ方向側に向けて折り曲げられ、バネ部の端部と連結される構成となる。
【符号の説明】
【００２０】
２…端子金具、４…吸着面、６…切欠き部、８ａ，８ｂ…保護壁、１０ａ〜１０ｄ…実装部、１２…バネ部、１４…接点部、１６…接触部。
【図１】
2016046076.tif 000003
【図２】
2016046076.tif 000004